(57)【要約】【課題】背負い式動力噴霧機のスロットルレバーを、簡単な構成によって保護すること。【解決手段】背負い式動力噴霧機１０のエンジン１６のスロットルレバー８２は、液タンク１１の下方に位置している。該スロットルレバーの下面は、該スロットルレバーの下方に配置されたレバーガード８５によって保護されている。該液タンクの幅方向の側面１１ｂのなかの最も側方へ突出した側端１１ｃと、該レバーガードの側端８５ｂとを、通る直線Ｌａに対して、該スロットルレバーは該液タンクの幅方向内側に配置されている。地面Ｇｒに置いた該動力噴霧機が横倒しになったときに、該スロットルレバーが地面に当たることはない。【選択図】図３
2015112535.tif 000002
【特許請求の範囲】
【請求項１】
液タンクと、該液タンクの中の液体を散布パイプに吐出するポンプと、該ポンプを駆動するエンジンとを一体的に組み付け、作業者が背負って噴霧作業をすることが可能な背負い式動力噴霧機において、
前記液タンクの下方に位置して、前記エンジンのためのスロットル弁を操作するスロットルレバーと、
該スロットルレバーの下方に位置して、該スロットルレバーの下面を保護するレバーガードとを有し、
前記液タンクの幅方向の側面のなかの最も側方へ突出した側端と、前記レバーガードの側端とを、通る直線に対して、前記スロットルレバーは前記液タンクの幅方向内側に配置されていることを特徴とする背負い式動力噴霧機。
【請求項２】
前記液タンクを設けるためのフレームと、
該フレームを作業者が背負うための背負いベルトとを、更に有し、
該背負いベルトの一端部には、前記フレームのなかの、前記スロットルレバーの近傍に取り付けるためのベルト取付け具が設けられ、
前記レバーガードと前記フレームとの少なくとも一方には、前記スロットルレバーに対する前記ベルト取付け具の接触を防止するためのストッパが設けられていることを特徴とする請求項１記載の背負い式動力噴霧機。
【発明の詳細な説明】
【技術分野】
【０００１】
本発明は、背負い式動力噴霧機のエンジン用スロットルレバーを保護する技術に関する。
【背景技術】
【０００２】
背負い式動力噴霧機は、液タンクと、該液タンクの中の液体を散布パイプに吐出するポンプと、該ポンプを駆動するエンジンとを一体的に組み付け、作業者が背負いながら、該液タンクの中の液体を散布パイプによって散布するものである。このような背負い式動力噴霧機が、特許文献１から知られている。
【０００３】
特許文献１で知られている背負い式動力噴霧機は、エンジンの出力を調節するためのスロットル弁を備えている。該スロットル弁を操作するためのスロットルレバーは、液タンクの下方に配置されている。該スロットルレバーの上はカバーによって覆われている。液タンクの表面を伝って流れ落ちた液が、該スロットルレバーに滴下しないように、該カバーによって防ぐことができる。
【０００４】
しかし、該スロットルレバーの下方は露出している。このため、動力噴霧機を地面に置いたときに、スロットルレバーが地面の突起物（異物）に当たり得る。また、地面に置いた動力噴霧機が横倒しになったときには、該スロットルレバーが地面に当たる。このような現象に対し、スロットルレバーを保護するための配慮が、必要である。しかし、スロットルレバーを保護する構成を、単に付加するのでは、保護する構成が複雑化する。
【先行技術文献】
【特許文献】
【０００５】
【特許文献２】特開２００２−０５９０４３号公報
【発明の概要】
【発明が解決しようとする課題】
【０００６】
本発明は、簡単な構成によってスロットルレバーを保護することができる技術を、提供することを課題とする。
【課題を解決するための手段】
【０００７】
請求項１に係る発明によれば、液タンクと、該液タンクの中の液体を散布パイプに吐出するポンプと、該ポンプを駆動するエンジンとを一体的に組み付け、作業者が背負って噴霧作業をすることが可能な背負い式動力噴霧機において、前記液タンクの下方に位置して、前記エンジンのためのスロットル弁を操作するスロットルレバーと、該スロットルレバーの下方に位置して、該スロットルレバーの下面を保護するレバーガードとを有し、前記液タンクの幅方向の側面のなかの最も側方へ突出した側端と、前記レバーガードの側端とを、通る直線に対して、前記スロットルレバーは前記液タンクの幅方向内側に配置されていることを特徴とする背負い式動力噴霧機が提供される。
【０００８】
請求項２に記載のごとく、好ましくは、前記液タンクを設けるためのフレームと、該フレームを作業者が背負うための背負いベルトとを、更に有し、該背負いベルトの一端部には、前記フレームのなかの、前記スロットルレバーの近傍に取り付けるためのベルト取付け具が設けられ、前記レバーガードと前記フレームとの少なくとも一方には、前記スロットルレバーに対する前記ベルト取付け具の接触を防止するためのストッパが設けられている。
【発明の効果】
【０００９】
請求項１に係る発明では、液タンクの下方に位置しているスロットルレバーの下面は、該スロットルレバーの下方に配置されたレバーガードによって、保護されている。このため、動力噴霧機を地面に置いた、いわゆる載置姿勢のときに、スロットルレバーが地面の突起物（異物）に当たらないように、レバーガードによって保護される。
【００１０】
さらに、液タンクの幅方向の側面のなかの最も側方へ突出した側端と、レバーガードの側端とを、通る直線に対して、スロットルレバーは該液タンクの幅方向内側に配置されている。このため、地面に置いた動力噴霧機が横倒しになったとき（横倒し姿勢のとき）に、該スロットルレバーが地面に当たることはない。
【００１１】
このように、スロットルレバーの下方に配置されたレバーガードの大きさと、液タンクの側端の大きさとを、最適な大きさに設定するだけの、簡単な構成により、動力噴霧機の載置姿勢と横倒し姿勢の両方に対し、該スロットルレバーを十分に保護することができる。
【００１２】
請求項２に係る発明では、背負いベルトの一端部にベルト取付け具が設けられている。該ベルト取付け具は、フレームのなかの、スロットルレバーの近傍に取り付けられる。レバーガードとフレームとの少なくとも一方には、スロットルレバーに対するベルト取付け具の接触を防止するためのストッパが設けられている。このため、該スロットルレバーを操作したときに、該スロットルレバーによる背負いベルトの巻き込みを防止することができる。
【図面の簡単な説明】
【００１３】
【図１】本発明の実施例１に係る背負い式動力噴霧機の斜視図である。
【図２】図１に示される背負い式動力噴霧機の下半分の側面図である。
【図３】図１に示される背負い式動力噴霧機の正面図である。
【図４】図１に示されるベルトをフレームに取付けた構成の斜視図である。
【図５】図１に示されるベルト取付け部分とスロットルレバーと制御ボックスとの関係を説明する斜視図である。
【図６】図２に示される背負い式動力噴霧機を背負った状態を説明する説明図である。
【図７】図１に示される背負い式動力噴霧機を地面に置いた状態を説明する説明図である。
【図８】図１に示される背負い式動力噴霧機を地面に横倒しした状態を説明する説明図である。
【図９】本発明の実施例２に係る背負い式動力噴霧機のストッパ周りの斜視図である。
【発明を実施するための形態】
【００１４】
本発明を実施するための形態を添付図に基づいて以下に説明する。なお、「前」、「後」、「左」、「右」、「上」、「下」は背負い式動力噴霧機を背負った作業者から見た方向に従う。
【実施例１】
【００１５】
実施例１に係る背負い式動力噴霧機について説明する。図１及び図２に示されるように、背負い式動力噴霧機１０は、液タンク１１と、該液タンク１１の中の液体を散布パイプ１３に吐出するポンプ１５と、該ポンプ１５を駆動するエンジン１６とを一体的に組み付け、作業者が背負って噴霧作業をすることが可能な作業機である。該背負い式動力噴霧機１０のことを、以下、「動力噴霧機１０」と略称する。
【００１６】
詳しく述べると、該ポンプ１５の吐出口１５ａは、ホース１２によって散布パイプ１３に接続されている。該散布パイプ１３の先端には、エクステンションパイプ１４が取り付けられる。該液タンク１１と該ポンプ１５と該エンジン１６とは、側面視略Ｌ字状のフレーム１７に組み付けられている。該フレーム１７は、背負い枠とも言われており、作業者によって背負われる前側の略縦板状の背負い部２１と、該背負い部２１の下端から後方へ延びた略平板状の横板部２２とからなる。
【００１７】
該液タンク１１は、前面１１ａを背負い部２１の背面に取り付けられるとともに、下面をステー２３によって横板部２２の上面２２ａに取り付けられている。該ポンプ１５は、液タンク１１の下方のなかの、作業者によって背負われる側（前側）に位置し、横板部２２の上面２２ａに取り付けられている。該エンジン１６は、液タンク１１の後下方に且つポンプ１５の後方に位置し、横板部２２の上面２２ａに取り付けられている。
【００１８】
図１及び図３に示されるように、動力噴霧機１０は、液タンク１１を設けたフレーム１７を作業者が背負うための左右の背負いベルト１８，１８を有する。つまり、作業者は、該左右の背負いベルト１８，１８によって動力噴霧機１０を背負う。該左右の背負いベルト１８，１８の一端部１８ａ，１８ａは、フレーム１７の前下部に取り付けられている。該左右の背負いベルト１８，１８の他端部１８ｂ，１８ｂは、液タンク１１の前面１１ａの上部、つまり、作業者によって背負われる面１１ａに取り付けられている。
【００１９】
詳しく述べると、図２〜図４に示されるように、該フレーム１７は、左右の側部の前下部からフレーム幅方向の外側へ延びた左右の掛け止め部７１，７１を有している。該左右の掛け止め部７１，７１の位置は、例えば、背負い部２１の下端と横板部２２の前端との、コーナの側面に設定される。該左右の掛け止め部７１，７１は、板面が後下がりに傾斜した平板状の傾斜板であって、板厚方向に貫通した左右の貫通孔７１ａ，７１ａを有する。
【００２０】
図３及び図４に示されるように、該左右の背負いベルト１８，１８の一端部１８ａ，１８ａには、左右のベルト取付け具７２，７２（左右のフック７２，７２）が設けられている。該左右のベルト取付け具７２，７２は、フレーム１７のなかの、左右の貫通孔７１ａ，７１ａに取り外し可能に掛け止められる。
【００２１】
図２に示されるように、該動力噴霧機１０は、エンジン１６の出力を調節するためのスロットル弁８１と、該スロットル弁８１を手動操作するためのスロットルレバー８２と、該エンジン１６のためのメインスイッチ８３（電源スイッチ８３）と、該エンジン１６を制御するための図示せぬ制御部を内蔵した制御ボックス８４とを備えている。該スロットル弁８１は、エンジン１６の側部に位置している。該スロットルレバー８２及び該メインスイッチ８３は、制御ボックス８４に組み込まれている。
【００２２】
図２及び図５に示されるように、該制御ボックス８４は、左右の掛け止め部７１，７１の一方（例えば左）の真後ろに、且つ液タンク１１の下方に位置し、フレーム１７に取り付けられている。図６に示されるように、作業者Ｍｎは動力噴霧機１０を背負って散布パイプ１３（図１参照）により散布作業をするときに、利き手によって散布パイプ１３を握ることが多い。この方が作業性が良いからである。従って、該作業者Ｍｎの利き手とは反対側にスロットルレバー８２を配置することが、より好ましい。
【００２３】
図２及び図５に示されるように、該スロットルレバー８２は、制御ボックス８４の前部の側部よりも幅方向外側に位置し、該制御ボックス８４に上下スイング可能に取り付けられている。該スロットルレバー８２は、略水平状態のときに、前方を向くとともに掛け止め部７１の近傍まで延びている。このため、図６に示されるように、作業者Ｍｎは動力噴霧機１０を背負って散布パイプ１３（図１参照）により散布作業をするときに、該散布パイプ１３を握っていない方の手Ｈａによって該スロットルレバー８２を操作することにより、スロットル弁８１を容易に調節することができる。
【００２４】
図２及び図５に示されるように、該メインスイッチ８３は、ロータリスイッチによって構成されている。該メインスイッチ８３のノブ８３ａは、スロットルレバー８２のスイング基部に対して、後上側に隣接している。つまり、ノブ８３ａは、制御ボックス８４の後部の側部よりも幅方向外側に位置している。
【００２５】
このようにして、該スロットルレバー８２及び該メインスイッチ８３のノブ８３ａは、該制御ボックス８４と共に液タンク１１の下方に位置している。
【００２６】
さらに、図４及び図５に示されるように、該制御ボックス８４は、レバーガード８５とストッパ８６とを有している。該レバーガード８５と該ストッパ８６は、該制御ボックス８４に対して一体に形成又は別部材によって構成される。
【００２７】
該レバーガード８５は、制御ボックス８４の下端から幅方向の外側へ延びた、略平板状の横板である。該レバーガード８５の前端８５ａは、掛け止め部７１の後面７１ｂに隣接している。該レバーガード８５は、該スロットルレバー８２及び該メインスイッチ８３の下方に位置することによって、該スロットルレバー８２の下面及び該メインスイッチ８３の下面を保護している。
【００２８】
図３に示されるように、液タンク１１の幅方向の側面１１ｂのなかの最も側方へ突出した側端１１ｃと、レバーガード８５の側端８５ｂとを、通る直線Ｌａのことを「外接線Ｌａ」ということにする。該外接線Ｌａに対して、スロットルレバー８２は液タンク１１の幅方向内側に配置されている。
【００２９】
上述のように、該左右いずれかの背負いベルト１８の一端部１８ａに設けられているベルト取付け具７２は、フレーム１７のなかの、スロットルレバー８２の近傍の部位に取り付けられる。
【００３０】
図４及び図５に示されるように、該ストッパ８６は、スロットルレバー８２に対するベルト取付け具７２の接触を防止するための部材であり、レバーガード８５に設けられている。詳しく述べると、該ストッパ８６は、制御ボックス８４に対するレバーガード８５の基端部分の前部が、上方へ延びた縦板状の部材であって、該制御ボックス８４の前端８４ａから掛け止め部７１の後面７１ｂまで延びている。つまり、該ストッパ８６は、該レバーガード８５と共に該制御ボックス８４に一体に形成されている。該ストッパ８６の前端面８６ａは、掛け止め部７１の幅方向外端に位置するとともに、該掛け止め部７１の後面７１ｂに沿って傾斜している。
【００３１】
このように、レバーガード８５には、スロットルレバー８２に対するベルト取付け具７２の接触を防止するためのストッパ８６が設けられている。このため、該スロットルレバー８２を操作したときに、該スロットルレバー８２による背負いベルト１８の巻き込みを防止することができる。
【００３２】
上記説明をまとめると、次の通りである。図２に示されるように、液タンク１１の下方に位置しているスロットルレバー８２の下面は、該スロットルレバー８２の下方に配置されたレバーガード８５によって、保護されている。このため、図７に示されるように、動力噴霧機１０を地面Ｇｒに置いた、いわゆる載置姿勢のときに、スロットルレバー８２が地面Ｇｒの突起物Ｓｕ（異物Ｓｕ）に当たらないように、レバーガード８５によって保護される。
【００３３】
さらに、図３に示されるように、液タンク１１の幅方向の側面１１ｂのなかの最も側方へ突出した側端１１ｃと、レバーガード８５の側端８５ｂとを、通る直線Ｌａ（外接線Ｌａ）に対して、スロットルレバー８２は該液タンク１１の幅方向内側に配置されている。このため、図８に示されるように、地面Ｇｒに置いた動力噴霧機１０が横倒しになったとき（横倒し姿勢のとき）に、該スロットルレバー８２が地面Ｇｒに当たることはない。
【００３４】
このように、スロットルレバー８２の下方に配置されたレバーガード８５の大きさと、液タンク１１の側端１１ｃの大きさとを、最適な大きさに設定するだけの、簡単な構成により、動力噴霧機１０の載置姿勢と横倒し姿勢の両方に対し、該スロットルレバー８２を十分に保護することができる。
【実施例２】
【００３５】
実施例２に係る背負い式動力噴霧機について図９に基づき説明する。図９は、図４に対応した図である。実施例２の背負い式動力噴霧機１０Ａは、上記図１〜図８に示されている実施例１の背負い式動力噴霧機１０のストッパ８６を、図９に示される実施例２のストッパ８６Ａに変更したことを特徴とし、他の構成については上記図１〜図８に示される構成と同じなので、説明を省略する。
【００３６】
具体的には、実施例２のストッパ８６Ａは、フレーム１７に設けられている。詳しく述べると、該ストッパ８６Ａは、フレーム１７の掛け止め部７１の後面７１ｂから起立した縦板状の部材である。該ストッパ８６Ａの後端は、該制御ボックス８４の前端８４ａ又は該前端８４ａの近傍に位置している。このような該ストッパ８６Ａは、上記実施例１のストッパ８６に対して基本的に（実質的に）構成が同じであり、上記実施例１のストッパ８６（図４参照）と同様の作用、効果を発揮する。
【００３７】
このように、ストッパ８６，８６Ａは、レバーガード８５とフレーム１７との少なくとも一方に設けられている。
【産業上の利用可能性】
【００３８】
本発明の背負い式動力噴霧機１０，１０Ａは、広い農場で散布作業するものに好適である。
【符号の説明】
【００３９】
１０    背負い式動力噴霧機
１０Ａ  背負い式動力噴霧機
１１    液タンク
１１ｂ  幅方向の側面
１１ｃ  最も側方へ突出した側端
１２    ホース
１３    散布パイプ
１５    ポンプ
１５ａ  ポンプの吐出口
１６    エンジン
１７    フレーム
１８    背負いベルト
１８ａ  一端部
１８ｂ  他端部
７２    ベルト取付け具
８１    スロットル弁
８２    スロットルレバー
８４    制御ボックス
８５    レバーガード
８５ｂ  側端
８６    ストッパ
８６Ａ  ストッパ
Ｇｒ    地面
Ｈａ    手
Ｌａ    直線
Ｍｎ  作業者
Ｓｕ    突起物（異物）
【図１】
2015112535.tif 000003
【図２】
2015112535.tif 000004
【図３】
2015112535.tif 000005
【図４】
2015112535.tif 000006
【図５】
2015112535.tif 000007
【図６】
2015112535.tif 000008
【図７】
2015112535.tif 000009
【図８】
2015112535.tif 000010
【図９】
2015112535.tif 000011